(57)【要約】【課題】カバー部を開閉することによって、印字ヘッドを退避位置及び作動位置に置くことができるようにする。【解決手段】画像形成部材と、押圧部を備えたカバー部と、押圧部と係合させられる第１の係合部を備え、移動自在に配設された移動部材と、移動部材と係合させられる第２の係合部を備え、移動部材の移動に伴い揺動させられる第１のアーム部と、第１のアーム部と係合させられる第３の係合部及び印字ヘッドを備え、第１のアーム部の揺動に伴い、印字ヘッドを作動位置及び退避位置に置くヘッド部とを有する。第１のアーム部は、移動部材の移動量を増幅してヘッド部を移動させる。カバー部を開閉すると、移動部材が移動させられ、第１のアーム部が揺動させられ、印字ヘッドが作動位置及び退避位置に置かれる。【選択図】図１
2015087415.tif 000002
【特許請求の範囲】
【請求項１】
（ａ）装置本体に配設された画像形成部材と、
（ｂ）押圧部を備え、前記装置本体に対して開閉自在に配設されたカバー部と、
（ｃ）前記押圧部と係合させられる第１の係合部を備え、前記本体装置に対して移動自在に配設された移動部材と、
（ｄ）該移動部材と係合させられる第２の係合部を備え、前記移動部材の移動に伴い、前記装置本体に対して揺動軸を中心に揺動させられる第１のアーム部と、
（ｅ）該第１のアーム部と係合させられる第３の係合部、及び印字ヘッドを備え、前記第１のアーム部の揺動に伴い、前記印字ヘッドを作動位置及び退避位置に置くヘッド部とを有するとともに、
（ｆ）前記第１のアーム部は、前記移動部材の移動量を増幅して前記ヘッド部を移動させることを特徴とする画像形成装置。
【請求項２】
前記第２の係合部は、前記揺動軸と前記第３の係合部との間に配設される請求項１に記載の画像形成装置。
【請求項３】
前記第３の係合部と係合させられ、前記印字ヘッドを案内するガイド部を有する請求項１又は２に記載の画像形成装置。
【請求項４】
（ａ）前記カバー部が閉じられると、画像形成ユニットの外筐に形成された係止部と前記印字ヘッドに形成された被係止部とが係止させられ、
（ｂ）前記ガイド部の円弧の接線方向と前記係止部の突出方向とがほぼ平行にされる請求項３に記載の画像形成装置。
【請求項５】
（ａ）前記ヘッド部は、印字ヘッド、回動軸を中心にして回動自在に配設された第２のアーム部、及び該第２のアーム部に対して回動自在に支持され、前記印字ヘッドを保持するヘッド保持部材を備え、
（ｂ）該ヘッド保持部材は、下端に前記第３の係合部を備え、上端に配設された支点部によって前記第２のアーム部に対して回動自在に支持される請求項１〜４のいずれか１項に記載の画像形成装置。
【請求項６】
前記カバー部が閉じられた状態から開かれた状態になるとき、前記ヘッド部は前記回動軸を中心に回動させられ、印字ヘッドを退避位置に置く請求項５に記載の画像形成装置。
【請求項７】
（ａ）前記移動部材を付勢する付勢部材を有するとともに、
（ｂ）該付勢部材は、前記カバー部が閉じられると、前記カバー部に向けて前記移動部材を付勢する請求項１〜６のいずれか１項に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、プリンタは、画像形成部材としての感光体ドラム、現像ローラ等を備えた交換ユニットとしての画像形成ユニット、前記感光体ドラムと対向させて配設された印字ヘッドとしてのＬＥＤヘッド、前記感光体ドラムと当接させて配設された転写ローラ等を備え、ＬＥＤヘッドによって感光体ドラムの表面に静電潜像が形成され、現像ローラによって前記静電潜像にトナーが付着させられてトナー像が形成され、転写ローラによって前記トナー像が用紙に転写されるようになっている。
【０００３】
該用紙は、用紙カセットから給紙されて前記感光体ドラムと転写ローラとの間の転写部に送られ、該転写部において前記トナー像が転写された後、定着器に送られ、該定着器においてトナー像が定着させられ、プリンタの本体、すなわち、装置本体外に排出される。
【０００４】
ところで、前記プリンタの筐体は、前記画像形成ユニット、転写ローラ、用紙カセット、定着器等を収容するロワケース、及び該ロワケースに対して揺動自在に配設され、開閉させられるカバー部としてのアッパカバーを備え、該アッパカバーに前記ＬＥＤヘッドが取り付けられるようになっている。したがって、前記アッパカバーを開閉することによって、ＬＥＤヘッドを感光体ドラムから離間させて退避位置に置いたり、感光体ドラムに近接させて作動位置に置いたりすることができる（例えば、特許文献１参照。）。
【先行技術文献】
【特許文献】
【０００５】
【特許文献１】特開２０００−１８１１６５号公報
【発明の概要】
【発明が解決しようとする課題】
【０００６】
しかしながら、前記従来のプリンタにおいては、ＬＥＤヘッドの実装条件によっては、アッパカバーにＬＥＤヘッドを取り付けることができない場合があり、その場合、アッパカバーを開閉することによって、ＬＥＤヘッドを感光体ドラムから離間させたり、感光体ドラムに近接させたりすることができなくなってしまう。
【０００７】
本発明は、前記従来のプリンタの問題点を解決して、カバー部に印字ヘッドを取り付けることなく、カバー部を開閉することによって、印字ヘッドを退避位置及び作動位置に置くことができる画像形成装置を提供することを目的とする。
【課題を解決するための手段】
【０００８】
そのために、本発明の画像形成装置においては、装置本体に配設された画像形成部材と、押圧部を備え、前記装置本体に対して開閉自在に配設されたカバー部と、前記押圧部と係合させられる第１の係合部を備え、前記本体装置に対して移動自在に配設された移動部材と、該移動部材と係合させられる第２の係合部を備え、前記移動部材の移動に伴い、前記装置本体に対して揺動軸を中心に揺動させられる第１のアーム部と、該第１のアーム部と係合させられる第３の係合部、及び印字ヘッドを備え、前記第１のアーム部の揺動に伴い、前記印字ヘッドを作動位置及び退避位置に置くヘッド部とを有する。
【０００９】
そして、前記第１のアーム部は、前記移動部材の移動量を増幅して前記ヘッド部を移動させる。
【発明の効果】
【００１０】
本発明によれば、画像形成装置においては、装置本体に配設された画像形成部材と、押圧部を備え、前記装置本体に対して開閉自在に配設されたカバー部と、前記押圧部と係合させられる第１の係合部を備え、前記本体装置に対して移動自在に配設された移動部材と、該移動部材と係合させられる第２の係合部を備え、前記移動部材の移動に伴い、前記装置本体に対して揺動軸を中心に揺動させられる第１のアーム部と、該第１のアーム部と係合させられる第３の係合部、及び印字ヘッドを備え、前記第１のアーム部の揺動に伴い、前記印字ヘッドを作動位置及び退避位置に置くヘッド部とを有する。
【００１１】
そして、前記第１のアーム部は、前記移動部材の移動量を増幅して前記ヘッド部を移動させる。
【００１２】
この場合、カバー部を開閉すると、移動部材が移動させられ、移動部材の移動に伴い、第１のアーム部が揺動させられ、ヘッド部によって印字ヘッドが作動位置及び退避位置に置かれる。
【００１３】
したがって、カバー部に印字ヘッドを取り付けることなく、カバー部を開閉することによって、印字ヘッドを画像形成部材から離間させたり、画像形成部材に近接させたりすることができる。
【００１４】
また、第１のアーム部は、前記移動部材の移動量を増幅して前記ヘッド部を大きく移動させるので、交換ユニットを容易に交換することができる。
【図面の簡単な説明】
【００１５】
【図１】本発明の実施の形態におけるプリンタの第１の概略図である。
【図２】本発明の実施の形態におけるプリンタの第２の概略図である。
【図３】本発明の実施の形態におけるヘッド昇降機構の第１の状態を示す側面図である。
【図４】本発明の実施の形態におけるヘッド昇降機構の第１の状態を示す斜視図である。
【図５】本発明の実施の形態におけるヘッド昇降機構の第２の状態を示す側面図である。
【図６】本発明の実施の形態におけるヘッド昇降機構の第２の状態を示す斜視図である。
【発明を実施するための形態】
【００１６】
以下、本発明の実施の形態について図面を参照しながら詳細に説明する。この場合、画像形成装置としてのプリンタについて説明する。
【００１７】
図１は本発明の実施の形態におけるプリンタの第１の概略図、図２は本発明の実施の形態におけるプリンタの第２の概略図、図３は本発明の実施の形態におけるヘッド昇降機構の第１の状態を示す側面図、図４は本発明の実施の形態におけるヘッド昇降機構の第１の状態を示す斜視図、図５は本発明の実施の形態におけるヘッド昇降機構の第２の状態を示す側面図、図６は本発明の実施の形態におけるヘッド昇降機構の第２の状態を示す斜視図である。
【００１８】
図において、１０はプリンタ、Ｃｓは該プリンタ１０の筐体であり、該筐体Ｃｓは、ロワケースＣｓＬ、及び該ロワケースＣｓＬに対して軸ｓｈ１を揺動中心として揺動自在に配設された第１のカバー部としてのアッパカバーＣｓＵを備え、前記ロワケースＣｓＬは、本体部ＣｓＢ、及び該本体部ＣｓＢに対して軸ｓｈ２を揺動中心として揺動自在に、かつ、プリンタ１０の本体、すなわち、装置本体に対して開閉自在に配設された第２のカバー部としてのフロントカバーＣｓＦを備える。なお、本実施の形態においては、プリンタ１０における、フロントカバーＣｓＦが配設される側を前方とし、フロントカバーＣｓＦと反対側を後方とする。
【００１９】
前記ロワケースＣｓＬ内の最下部には、媒体としての用紙Ｐを収容する媒体収容部としての用紙カセット１２が装置本体に対して挿脱自在に配設される。なお、用紙カセット１２はロワケースＣｓＬから前方に向けて引き出すことができる。そのために、前記フロントカバーＣｓＦには、閉じられた状態における下方の部分に、用紙カセット１２を引き出すための開口が形成される。
【００２０】
前記装置本体には、用紙カセット１２をロワケースＣｓＬ内に挿入して装置本体にセットしたときに、用紙カセット１２の前端に位置するように、繰出部材としてのピックアップローラ１３が回転自在に配設され、該ピックアップローラ１３に、媒体載置板１０１上に載置された用紙Ｐが押し付けられる。また、前記装置本体には、用紙カセット１２に隣接させて給紙部材としての給紙ローラ１４が回転自在に配設され、該給紙ローラ１４の下方には、給紙ローラ１４と当接させて分離部材としてのリタードローラ１５が回転自在に配設される。
【００２１】
また、Ｒｔ１は用紙Ｐを搬送するための第１の媒体搬送路であり、該第１の媒体搬送路Ｒｔ１における給紙ローラ１４より下流側に、給紙ローラ１４によって給紙された用紙Ｐの斜行を矯正するための第１のレジストローラ対１６が、第１の媒体搬送路Ｒｔ１における第１のレジストローラ対１６より下流側に、前記フロントカバーＣｓＦに配設された給紙ローラ対１０２によって給紙された用紙Ｐの斜行を矯正するための第２のレジストローラ対１７が、第１の媒体搬送路Ｒｔ１における第２のレジストローラ対１７より下流側に、第１、第２のレジストローラ対１６、１７によって斜行が矯正された用紙Ｐを搬送するための搬送ローラ対１８が回転自在に配設される。
【００２２】
そして、前記ロワケースＣｓＬ内の前記第２のレジストローラ対１７及び搬送ローラ対１８より上方に、第１の交換ユニットとしての画像形成ユニット２０、露光装置としての、かつ、印字ヘッドとしてのＬＥＤヘッド２２等が配設される。前記画像形成ユニット２０は、第２の交換ユニットとしての、かつ、現像剤収容部としてのトナーカートリッジ２１、画像形成部材としての、かつ、像担持体としての感光体ドラム２３等を備え、前記トナーカートリッジ２１に現像剤としてのトナーが収容される。
【００２３】
また、前記第１の媒体搬送路Ｒｔ１を挟んで前記感光体ドラム２３と当接させて転写部材としての転写ローラ２４が回転自在に配設され、前記感光体ドラム２３と転写ローラ２４との間に転写部が形成される。そして、前記ＬＥＤヘッド２２、感光体ドラム２３及び転写ローラ２４によって画像形成部Ａｒ１が形成される。
【００２４】
前記第１の媒体搬送路Ｒｔ１における転写部より下流側に、第３の交換ユニットとしての、かつ、定着装置としての定着器３１が配設される。該定着器３１は、第１の媒体搬送路Ｒｔ１より上方において回転自在に配設された第１の定着部材としての定着ローラ１０５、第１の媒体搬送路Ｒｔ１を挟んで前記定着ローラ１０５と当接させて走行自在に配設された第２の定着部材としての定着ベルト１０６、該定着ベルト１０６の内側において回転自在に配設された第３の定着部材としての加圧ローラ１０７等を備え、前記定着ローラ１０５内に加熱体としての図示されないヒータが配設される。
【００２５】
また、前記第１の媒体搬送路Ｒｔ１における定着器３１より下流側に搬送ローラ対３２、３３が、第１の媒体搬送路Ｒｔ１における搬送ローラ対３３より下流側に排出ローラ対３４が配設される。そして、前記アッパカバーＣｓＵに、前記排出ローラ対３４と対向させて媒体積載部としての用紙スタッカ３５が形成される。
【００２６】
ところで、前記プリンタ１０においては、用紙Ｐの両面に画像を形成し、両面印刷を行うことができるようになっている。そのために、前記第１の媒体搬送路Ｒｔ１における搬送ローラ対３２より下流側に、搬送ローラ対３２と隣接させて分岐点が設定され、該分岐点において第１の媒体搬送路Ｒｔ１から第２の媒体搬送路Ｒｔ２が分岐させられ、該第２の媒体搬送路Ｒｔ２に、反転用の搬送ローラ対３６、３７が配設される。また、第２の媒体搬送路Ｒｔ２に接続させて、第３の媒体搬送路Ｒｔ３が前記画像形成ユニット２０、定着器３１等の下方に延在させて形成され、第３の媒体搬送路Ｒｔ３に、搬送ローラ対３８〜４０が配設される。
【００２７】
そして、前記第１、第２の媒体搬送路Ｒｔ１、Ｒｔ２間に、搬送ローラ対３２と隣接させて第１の搬送路切換装置Ｅｘ１が、前記第２、第３の媒体搬送路Ｒｔ２、Ｒｔ３間に、搬送ローラ対３６と隣接させて第２の搬送路切換装置Ｅｘ２が配設され、第１、第２の搬送路切換装置Ｅｘ１、Ｅｘ２を切り換えることによって、第１の媒体搬送路Ｒｔ１を搬送される用紙Ｐを、第２の媒体搬送路Ｒｔ２に送り、第２の媒体搬送路Ｒｔ２に退避させ、続いて、搬送ローラ対３６、３７を逆方向に回転させることによって、用紙Ｐを第２の媒体搬送路Ｒｔ２から第３の媒体搬送路Ｒｔ３に送り、用紙Ｐを反転させることができる。
【００２８】
次に、前記プリンタ１０の動作について説明する。
【００２９】
前記ピックアップローラ１３が回転させられると、用紙カセット１２に収容された用紙Ｐが給紙ローラ１４及びリタードローラ１５によって１枚ずつ分離させられて媒体搬送路Ｒｔ１に繰り出される。繰り出された用紙Ｐは、前記第１のレジストローラ対１６によって斜行が矯正され、その後、第２のレジストローラ対１７及び搬送ローラ対１８によって搬送され、感光体ドラム２３と転写ローラ２４との間の転写部に送られる。
【００３０】
そして、画像形成ユニット２０においては、感光体ドラム２３の表面が、帯電装置としての図示されない帯電ローラによって一様に帯電させられ、ＬＥＤヘッド２２によって露光されて潜像としての静電潜像が形成される。  
【００３１】
また、トナーカートリッジ２１から供給されたトナーは現像剤担持体としての図示されない現像ローラによって感光体ドラム２３に付着させられ、前記静電潜像が現像されて、現像剤像としてのトナー像が形成される。
【００３２】
そして、前記用紙Ｐは、転写部に送られると、該転写部において感光体ドラム２３上のトナー像が転写ローラ２４によって転写され、続いて、定着器３１に送られ、該定着器３１においてトナー像が定着させられる。このようにして画像が形成された用紙Ｐは、搬送ローラ対３２、３３によって搬送され、排出ローラ対３４によって装置本体外に排出され、用紙スタッカ３５に積載される。
【００３３】
また、用紙Ｐに対して両面印刷を行う場合、用紙Ｐは、表面に画像が形成されると、第２の媒体搬送路Ｒｔ２に退避させられ、続いて、第３の媒体搬送路Ｒｔ３に送られ、第３の媒体搬送路Ｒｔ３を搬送されて第１の媒体搬送路Ｒｔ１に送られ、第１のレジストローラ対１６に送られる。そして、第１のレジストローラ対１６において斜行が矯正された用紙Ｐは、第１の媒体搬送路Ｒｔ１を搬送される間に、裏面に画像が形成される。
【００３４】
なお、前記画像形成ユニット２０及び定着器３１は装置本体に対して、トナーカートリッジ２１は画像形成ユニット２０の本体、すなわち、画像形成ユニット本体に対して着脱自在に配設され、画像形成ユニット２０、定着器３１、トナーカートリッジ２１等を交換したり、用紙ジャムを解除したりする際に、画像形成ユニット２０を装置本体に対して着脱する場合、及びトナーカートリッジ２１を画像形成ユニット本体に対して着脱する場合は、フロントカバーＣｓＦが開かれ、定着器３１を装置本体に対して着脱する場合は、アッパカバーＣｓＵが開かれる。そして、画像形成ユニット２０を装置本体に対して着脱するために、装置本体に案内ガイド５６が傾斜させて形成され、感光体ドラム２３の軸（ドラムシャフト）ｓｈ３及び画像形成ユニット２０から突出させて形成された凸部１１８が案内ガイド５６に沿って移動させられる。
【００３５】
ところで、前記構成のプリンタ１０においては、フロントカバーＣｓＦを開閉することによって、ＬＥＤヘッド２２を感光体ドラム２３から離間させて退避位置に置いたり、感光体ドラム２３に近接させて作動位置に置いたりすることができるようになっている。
【００３６】
そのために、装置本体内における感光体ドラム２３の上方にヘッド昇降機構Ｍｅが配設される。
【００３７】
該ヘッド昇降機構Ｍｅは、前記フロントカバーＣｓＦに取り付けられた一対の押圧部材１２０、装置本体に対して水平方向に移動自在に、本実施の形態においては、摺動自在に配設された移動部材としての一対のスライダ（レバーロック）５０、該スライダ５０をフロントカバーＣｓＦに向けて付勢する付勢部材としてのスプリング５５、前記スライダ５０を摺動自在に保持するとともに、水平方向に案内するガイド５７、前記スライダ５０が移動するのに伴って揺動させられる第１のアーム部としての一対のガイドリンク５１、下端においてＬＥＤヘッド２２を保持するとともに、前記ガイドリンク５１が揺動させられるのに伴って昇降させられるヘッド保持部材としてのヘッドホルダ５２等を備える。
【００３８】
前記押圧部材１２０は、押圧部材本体１２１、該押圧部材本体１２１から前方に向けて突出させて形成され、フロントカバーＣｓＦの所定の箇所に係止させることによって押圧部材１２０をフロントカバーＣｓＦに取り付けるための係止部１２２、及び押圧部材本体１２１から後方に向けて突出させて形成され、スライダ５０を押圧するための押圧部としてのプッシャ１２５を備える。
【００３９】
前記スライダ５０は、ガイド５７に形成された案内片としての爪５７ａ〜５７ｃによって上縁が案内されるとともに、案内片としての爪５７ｄ〜５７ｆによって下縁が案内される。
【００４０】
そして、前記スライダ５０の前方の端部、すなわち、前端には、フロントカバーＣｓＦが閉じられた状態で前記プッシャ１２５によって押圧され、プッシャ１２５と係合させられる第１の係合部としての当接部５０ａが形成される。
【００４１】
また、前記スライダ５０の上縁の近傍には、スライダ５０の移動方向とほぼ平行に延在させて、スライダ５０を水平方向に移動させるための、長穴形状を有する水平方向移動用の係合要素としての溝部ｍ１、ｍ２がプッシャ１２５と対向する位置に形成され、前記溝部ｍ１、ｍ２内に、装置本体に固定させて形成された水平方向移動用の被係合要素としてのポストｐｓ１、ｐｓ２が遊嵌させられる。そして、前記スライダ５０の後方の端部、すなわち、後端の近傍には、後方に向けて斜めに立ち上げて、ガイドリンク５１を揺動させるための、長穴形状を有する傾斜方向移動用の係合要素としての溝部ｍ３が形成され、該溝部ｍ３内に、ガイドリンク５１のほぼ中央に形成された傾斜方向移動用の被係合要素としてのポストｐｓ３が遊嵌させられる。前記溝部ｍ３は、前端が前記スライダ５０の下縁の近傍に、後端が前記スライダ５０の上縁の近傍に位置するように形成される。
【００４２】
なお、スライダ５０の移動方向に対して溝部ｍ１、ｍ２が延在する方向は、±５〔°〕以内の角度の範囲に収められる。また、前記溝部ｍ１、ｍ２の長さは、スライダ５０を移動させる距離と等しくされ、各溝部ｍ１、ｍ２間の距離は、スライダ５０を安定させて移動させるのに必要な値にされる。そして、ポストｐｓ１、ｐｓ２の位置は、スライダ５０を移動させたときに、各溝部ｍ１、ｍ２内における位置が同じになるように設定される。
【００４３】
前記スプリング５５は、引張りスプリングから成り、スライダ５０が移動させられる方向に延在させて配設され、前端が、ガイド５７の前端の近傍に形成された第１の付勢部材取付部としてのスプリング保持部６５に取り付けられ、後端が、スライダ５０の中央部に形成された第２の付勢部材取付部としてのスプリング保持部６６に取り付けられる。
【００４４】
そして、フロントカバーＣｓＦを開くと、プッシャ１２５が当接部５０ａを押圧しなくなり、スプリング５５は収縮させられ、所定の付勢力でスライダ５０を前方に移動させる。これに伴って、ポストｐｓ１、ｐｓ２は、溝部ｍ１、ｍ２の後端に移動させられる。また、フロントカバーＣｓＦを閉じると、プッシャ１２５が当接部５０ａを押圧し、スプリング５５は伸長させられ、前記付勢力に抗してスライダ５０を後方に移動させる。これに伴って、ポストｐｓ１、ｐｓ２は、溝部ｍ１、ｍ２の前端に移動させられる。
【００４５】
前記ガイドリンク５１は、前端に前記ポストｐｓ２を貫通させるための穴部ｈ１を備え、該穴部ｈ１にポストｐｓ２を嵌入させることによって、ポストｐｓ２を中心にして装置本体に対して揺動自在に支持される。また、前記ガイドリンク５１は、ほぼ中央に、前記溝部ｍ３内に遊嵌させられる前記ポストｐｓ３を有するとともに、後端に、ヘッドホルダ５２の側縁の下端（感光体ドラム２３（図１）と対向する側の端部）に形成された揺動支持用の被係合要素としてのポストｐｓ４を遊嵌させるための、長穴形状を有する揺動支持用の係合要素としての溝部ｍ４を備える。
【００４６】
なお、前記ポストｐｓ２は、ガイドリンク５１を揺動させるときの揺動軸として機能し、前記ポストｐｓ３は、スライダ５０と係合させられる第２の係合部を構成し、前記ポストｐｓ４は、ガイドリンク５１と係合させられる第３の係合部を構成する。
【００４７】
したがって、フロントカバーＣｓＦが開かれた状態から閉じられた状態になるとき、プッシャ１２５が当接部５０ａを押圧して、スライダ５０を移動させ、溝部ｍ３に沿ってポストｐｓ３を移動させると、ガイドリンク５１がポストｐｓ２を中心にして回動させられる。このようにして、スライダ５０の水平方向の移動がガイドリンク５１の回転方向の移動に変換される。なお、溝部ｍ３及びポストｐｓ３によって第１の移動方向変換部が構成される。
【００４８】
前記溝部ｍ３の前端の近傍には、フロントカバーＣｓＦを閉じたときの押圧部材１２０の位置が押圧部材１２０の寸法、組立等の誤差によって異なってもガイドリンク５１の傾きが変化しないように、所定の長さｗにわたって水平部位が形成される。
【００４９】
ところで、ヘッドホルダ５２の下端に形成されたポストｐｓ４は、前述されたように溝部ｍ４内に遊嵌させられるとともに、ガイド５７に形成され、長穴形状を有する溝部ｍ５内にも遊嵌させられる。この場合、溝部ｍ５によってヘッド昇降用の係合要素が、ポストｐｓ４によってヘッド昇降用の被係合要素が構成される。また、前記溝部ｍ５は、感光体ドラム２３の直上からわずかに後方に向けて傾斜させて、円弧状に延在させて形成され、ポストｐｓ４と係合させられてＬＥＤヘッド２２を案内するガイド部を構成する。
【００５０】
したがって、ガイドリンク５１がポストｐｓ２を中心にして回動させられると、溝部ｍ５に沿ってポストｐｓ４が移動させられ、ヘッドホルダ５２が上下方向に移動させられる。このようにして、スライダ５０の水平方向の移動がガイドリンク５１の回転方向の移動に変換され、更にヘッドホルダ５２の上下方向の移動に変換される。なお、溝部ｍ４、ｍ５及びポストｐｓ４によって第２の移動方向変換部が構成される。
【００５１】
そして、前記ポストｐｓ４が溝部ｍ５の下端に置かれると、ＬＥＤヘッド２２が作動位置に置かれ、前記ポストｐｓ４が溝部ｍ５の上端に置かれると、ＬＥＤヘッド２２が退避位置に置かれる。
【００５２】
この場合、スライダ５０が水平方向に移動するのに伴って、ガイドリンク５１がポストｐｓ２を中心にして回動させられたときに、ポストｐｓ３及び溝部ｍ４が円周方向に移動させられるが、ポストｐｓ３はポストｐｓ２と溝部ｍ４（ポストｐｓ４）との間に配設され、ポストｐｓ２と溝部ｍ４との間の距離がポストｐｓ２、ｐｓ３間の距離より長いので、円周方向における溝部ｍ４の移動量がポストｐｓ３の移動量より大きくなる。
【００５３】
したがって、ガイドリンク５１によって、スライダ５０の水平方向の移動量が増幅されるので、ヘッドホルダ５２を上下方向に大きく移動させることができる。ここで、ガイドリンク５１に配設された、穴部ｈ１、ポストｐｓ３、溝部ｍ４等によって、前記スライダ５０の水平方向の移動量を増幅するための移動量増幅部が構成される。
【００５４】
なお、本実施の形態において、ガイドリンク５１が回動させられるのに伴って溝部ｍ４が移動する際に描く軌跡と、溝部ｍ５に沿って移動するポストｐｓ４が描く軌跡とは一致しないが、前記溝部ｍ４が長穴形状を有し、ポストｐｓ４が溝部ｍ４内を移動するのが許容されるので、ポストｐｓ４を溝部ｍ５に沿って円滑に移動させることができる。これにより、ＬＥＤヘッド２２を作動位置と退避位置との間で円滑に移動させることができる。また、ＬＥＤヘッド２２が移動するのに伴って描く軌跡の設定の自由度を高くすることができる。
【００５５】
ところで、前記ＬＥＤヘッド２２を作動位置と退避位置との間で移動させることができるように、装置本体における所定の位置、本実施の形態においては、ガイド５７の後方に、回動軸としてのシャフトｓｈ４が回動自在に配設され、該シャフトｓｈ４の両端に、第２のアーム部としての一対のヘッドリンク５４がシャフトｓｈ４を中心として回動自在になるように取り付けられる。そのために、シャフトｓｈ４の両端に、平削りによるＤカットが施され、断面がＤ字形状にされる。また、ヘッドリンク５４にＤ字形状の穴が形成され、シャフトｓｈ４の両端が圧入される。なお、シャフトｓｈ４の円周方向における同じ位置にＤカットが施されるので、各ヘッドリンク５４を同じ角度で回動させることができる。そして、各ヘッドリンク５４の先端に穴部ｈ２が形成され、該穴部ｈ２に、前記ヘッドホルダ５２の側縁の上端に突出させて形成された支点部としてのポストｐｓ５が嵌入させられる。これにより、ヘッドホルダ５２はヘッドリンク５４によって回動自在に支持される。
【００５６】
前記ヘッドリンク５４は、「く」の字状に曲げられた形状を有するので、フロントカバーＣｓＦが開かれた状態及び閉じられた状態のいずれの状態に置かれても、ヘッドホルダ５２とヘッドリンク５４とが互いに干渉しない位置関係に置かれる。本実施の形態において、ヘッドリンク５４は「く」の字状に曲げられた形状を有するが、直線状に形成することができる。
【００５７】
なお、図４及び６において、５８は前記ＬＥＤヘッド２２を感光体ドラム２３側に向けて付勢し、ＬＥＤヘッド２２を感光体ドラム２３に対して位置決めする付勢部材としてのスプリング、５９は該スプリング５８を保持する保持要素としてのスプリングホルダである。前記ＬＥＤヘッド２２、ヘッドホルダ５２、スプリング５８、スプリングホルダ５９等によってヘッド部Ｈｄが構成される。
【００５８】
そして、ＬＥＤヘッド２２の両端の下面には、被係止部としての穴部７１、７２が形成され、画像形成ユニット２０の外筐における前記穴部７１、７２と対応する部分には、係止部としての突部８１、８２が突出させて形成される。前記ＬＥＤヘッド２２が作動位置に置かれると、前記突部８１、８２は前記穴部７１、７２と係止させられる。その結果、ＬＥＤヘッド２２を画像形成ユニット２０に対して位置決めすることができる。なお、前記溝部ｍ５の下端における円弧の接線方向と前記突部８１、８２の突出方向とはほぼ平行にされる。
【００５９】
次に、前記構成のヘッド昇降機構Ｍｅの動作について説明する。
【００６０】
まず、フロントカバーＣｓＦを閉じると、スプリング５５の付勢力に抗して押圧部材１２０がスライダ５０を押圧する。これに伴い、図３及び４に示されるように、ポストｐｓ１、ｐｓ２は溝部ｍ１、ｍ２の前端に、ポストｐｓ３は溝部ｍ３の前端又は前端の近傍の水平部位に、ポストｐｓ４は溝部ｍ４の後端で、かつ、溝部ｍ５の下端に位置させられる。
【００６１】
したがって、ガイドリンク５１は後端が下方に位置するように傾斜させられ、ＬＥＤヘッド２２は作動位置に置かれる。
【００６２】
次に、フロントカバーＣｓＦを開くと、押圧部材１２０がスライダ５０を押圧しなくなるので、スライダ５０はスプリング５５の付勢力によって前方に移動させられる。これに伴い、図５及び６に示されるように、ポストｐｓ１〜ｐｓ３は溝部ｍ１〜ｍ３の後端に、ポストｐｓ４は溝部ｍ４の後端で、かつ、溝部ｍ５の上端に位置させられる。
【００６３】
したがって、ガイドリンク５１は、図における時計回りに回転させられ、ほぼ水平に置かれ、ＬＥＤヘッド２２は退避位置に置かれる。
【００６４】
このように、本実施の形態においては、フロントカバーＣｓＦを開閉すると、スライダ５０が移動させられ、スライダ５０の移動に伴い、ガイドリンク５１が揺動させられ、ＬＥＤヘッド２２が作動位置及び退避位置に置かれる。
【００６５】
したがって、フロントカバーＣｓＦにＬＥＤヘッド２２を取り付けることなく、フロントカバーＣｓＦを開閉することによって、ＬＥＤヘッド２２を感光体ドラム２３から離間させて退避位置に置いたり、感光体ドラム２３に近接させて作動位置に置いたりすることができる。
【００６６】
また、ガイドリンク５１によって、前記スライダ５０の移動量が増幅され、前記ヘッドホルダ５２が大きく移動させられるので、画像形成ユニット２０を装置本体に対して着脱するための空間を広くすることができる。したがって、画像形成ユニット２０を容易に交換することができる。
【００６７】
しかも、アッパカバーＣｓＵを開閉する必要がないので、画像形成ユニット２０を交換する際に、用紙スタッカ３５に積載された用紙Ｐを取り除く必要がない。したがって、プリンタ１０の操作性を向上させることができる。
【００６８】
本実施の形態においては、プリンタ１０について説明しているが、本発明を複写機、ファクシミリ、複合機等の画像形成装置に適用することができる。
【００６９】
なお、本発明は前記実施の形態に限定されるものではなく、本発明の趣旨に基づいて種々変形させることが可能であり、それらを本発明の範囲から排除するものではない。
【符号の説明】
【００７０】
１０    プリンタ
２２    ＬＥＤヘッド
２３    感光体ドラム
５０    スライダ
５０ａ    当接部
５１    ガイドリンク
１２５    プッシャ
ＣｓＦ    フロントカバー
Ｈｄ    ヘッド部
ｐｓ２〜ｐｓ４    ポスト
【図１】
2015087415.tif 000003
【図２】
2015087415.tif 000004
【図３】
2015087415.tif 000005
【図４】
2015087415.tif 000006
【図５】
2015087415.tif 000007
【図６】
2015087415.tif 000008